(57)【要約】【課題】蛍光強度の強い、しかも、耐水性が良好な印字物の形成が可能な蛍光インク、該蛍光インクを用いたインクカートリッジ、記録ユニット、インクジェット記録方法及びインクジェット記録装置を提供すること。【解決手段】少なくとも色材と、これを溶解するための水性液媒体とを有するインクジェット用インクにおいて、色材として、紫外光域で励起し、可視光域で発色するアニオン性蛍光染料を少なくとも１種含み、且つこの蛍光染料の総量に対して５―６０％のポリエチレンイミンを含有することを特徴とする蛍光インク。インクカートリッジ、記録ユニット、インクジェット記録方法及びインクジェット記録装置。【選択図】        図１
2004155939.tif 000002
【特許請求の範囲】
【請求項１】
少なくとも色材と、これを溶解するための水性液媒体とを有するインクジェット用インクにおいて、色材として、紫外光域で励起し、可視光域で発色するアニオン性蛍光染料を少なくとも１種含み、且つこの蛍光染料の総量に対して５―６０％のポリエチレンイミンを含有することを特徴とする蛍光インク。
【請求項２】
ポリエチレンイミンが、分子量５００―１０００００であることを特徴とする請求項１に記載の蛍光インク。
【請求項３】
水性液媒体が、水を含んでいる請求項１に記載の蛍光インク。
【請求項４】
水の含有量が、インクの全重量に対して１０〜９５重量％である請求項３に記載の蛍光インク。
【請求項５】
水性液媒体が、水溶性有機溶剤を含んでいる請求項１に記載の蛍光インク。
【請求項６】
水溶性有機溶剤の含有量が、インクの全重量に対して５０重量％以下である請求項５に記載の蛍光インク。
【請求項７】
インクを収容したインク収容部、該インクを吐出させるためのヘッド部を備えた記録ユニットにおいて、上記インクが請求項１〜６のいずれか１項に記載のインクであることを特徴とする記録ユニット。
【請求項８】
インクを収容したインク収容部とヘッド部を一体として備えたインクカートリッジにおいて、上記インクが請求項１〜６のいずれか１項に記載のインクであることを特徴とするインクカートリッジ。
【請求項９】
インクにエネルギーを与えて、インクを飛翔させて行うインクジェット記録方法において、上記インクが請求項１〜６のいずれか１項に記載のインクであることを特徴とするインクジェット記録方法。
【請求項１０】
エネルギーが、熱エネルギーである請求項９に記載のインクジェット記録方法。
【請求項１１】
インクを収容したインク収容部と、該インクを熱エネルギーの作用によりインク滴として吐出させるためのヘッド部を有する記録ユニットを備えたインクジェット記録装置において、上記インクが請求項１〜６のいずれか１項に記載のインクであることを特徴とするインクジェット記録装置。
【請求項１２】
インクを収容したインク収容部とインクを熱エネルギーの作用により吐出させるためのヘッド部とを一体として備えたインクカートリッジを備えたインクジェット記録装置において、上記インクが請求項１〜６のいずれか１項に記載のインクであることを特徴とするインクジェット記録装置。
【発明の詳細な説明】
【０００１】
【発明の属する技術分野】
本発明は、蛍光性を示す画像の形成が可能な蛍光インク、該インクを用いる、インクユニット、インクカートリッジ、インクジェット記録方法及びインクジェット記録装置に関する。
【０００２】
【従来の技術】
インクジェット記録方法には、例えば、静電吸引方法、ピエゾ素子による機械的振動又は変位を利用する方法、インクを加熱することにより気泡を発生させ、このときに発生する圧力を利用する方法等、様々のインク吐出方法がある。近年、これらの技術を利用し、様々な用途で使用可能なインクが求められている。かかる用途は、単に美麗な有色画像を形成することに留まらず、例えば、インクに蛍光性を持たすことで、文字、数字、記号、バーコード等の情報を記録媒体に記録し、適当な波長の紫外光を照射することにより蛍光インクを発光させて、可視情報以外の情報（例えば、セキュリティ情報等）を付与する技術展開が提案されている。
【０００３】
水性インク中で使用が可能な水溶性の蛍光性染料としては特開２０００−３０３００８号公報や特願平１２−２３９６９４号などで報告されている。
【０００４】
また、インクジェット用インクとして使用される染料は耐水性に乏しいことは一般的に知られており、特にかかる染料を含むインクジェット用蛍光インクで形成した印字物は、水に触れると、印字した内容も完全に消失してしまうだけでなく、蛍光性という特徴が無くなるという問題があった。耐水性を向上させるために種々の添加剤の検討が行われており、特開平２−４１３６９号公報や特公平７−９１４９４号公報ではポリアミンの例が報告されている。
【０００５】
ポリエチレンイミンは、染料との水溶液中においてカチオン性ポリ電解質として作用する為、スルホン基等のアニオン基を有するアゾ染料分子に対して親和性（弱い結合）を生じ、又、被記録材に対しても強力な親和性（セルロースとのファン・デル・ワールス力及び水素結合等）を持つため、インクジェットプリンタ用インクにおける画像の耐水性を改良し得ることが知られている。
【０００６】
【発明が解決しようとする課題】
しかし、蛍光性染料の耐水性を向上させるために、過剰な量のポリエチレンイミンを添加することにより耐水性は改善されるが、蛍光強度が悪化するという問題があった。
【０００７】
従って、本発明の目的は、蛍光強度の高い画像を与え、しかも、耐水性が良好な印字物の形成が可能な蛍光インク、これらの蛍光インクを用いたインクユニット、インクカートリッジ、インクジェット記録方法及びインクジェット記録装置を提供することにある。
【０００８】
【課題を解決するための手段】
上記の目的は以下の本発明によって達成される。即ち、本発明は、少なくとも色材と、これを溶解するための水性液媒体とを有するインクジェット用インクにおいて、色材として、紫外光域で励起し、可視光域で発色するアニオン性蛍光染料を少なくとも１種含み、且つこの蛍光染料の総量に対して５―６０％のポリエチレンイミンを含有することを特徴とする蛍光インクである。
【０００９】
また、本発明の好ましい形態としては、含有するポリエチレンイミンが、分子量１０００―１０００００であること、更には蛍光染料がアニオン性であることを特徴とする請求項１に記載の蛍光インクが挙げられる。
【００１０】
更に、本発明の好ましい形態としては、上記の蛍光インクを用いたインクカートリッジ、記録ユニット、インクジェット記録方法及びインクジェット記録装置である。
【００１１】
【発明の実施の形態】
以下、本発明の好ましい実施の形態を挙げて本発明を詳細に説明する。
【００１２】
本発明の蛍光インクは、少なくとも１種の蛍光性染料と含むことを特徴とする。蛍光性染料とは、励起光を照射することにより蛍光を発生する着色剤を意味する。本発明によるインク組成物においては、紫外光域で励起し、可視光域で発色することが望ましく、また、安全性の面等からアニオン性が好ましく、カラーインデックスにおいて酸性染料、直接染料に分類される。具体的な例としては、Ｃ．Ｉ．（カラーインデックスナンバー）アシッドレッド５１、Ｃ．Ｉ．アシッドレッド５２、Ｃ．Ｉ．アシッドレッド９２、Ｃ．Ｉ．アシッドレッド９４、及びＣ．Ｉ．ダイレクトイエロー８７、等が挙げられる。
【００１３】
また、本発明においては、かかる染料の他に調色等のために蛍光を有さない染料を含有してもよい。含有する染料の種類は特に問わないが、その具体的な例としては、ダイレクトイエロー１２、４４、８６、１３２、１４２、ダイレクトレッド４、２３、３１、７９、８０、８１、８９、２２７、２４３、ダイレクトブルー６、２２、２５、７１、７８、８６、９０、１０６、１９９、ダイレクトブラック５１、１９５、ダイレクトグリーン１１、２１、３４、４２、６０、Ｃ．Ｉ．ダイレクトオレンジ１、２、５、６、７、８、３１、３３、６３、８５、９０、９６、１０２、１０４、ダイレクトブラウン２、５８、５９、６０、７３、１１２、１６７、１６８、１７９及び１８５等が挙げられる。
【００１４】
更に、ポリエチレンイミンであるが、このポリマーは完全な線状高分子ではなく、ある程度の枝分かれ部分を有しており、第１、２、３級アミノ窒素を含んでいる。本発明の蛍光インクにおいては、ポリエチレンイミンを蛍光染料の総量に対して３−６０％含有することが好ましく、更に好ましくは１５−５０％含有することである。
【００１５】
これは、蛍光染料の総量に対して３％以下の場合には、耐水性がなく、また６０％以上の場合には耐水性は満足するものの、蛍光強度がポリエチレンイミンを含有しない場合に比べて低くなってしまうためである。
【００１６】
また、含有するポリエチレンイミンの分子量は５００−１０００００のものが好ましく、更に好ましくは、分子量が１０００−７００００のものである。
【００１７】
これは、分子量が３００以下の場合には耐水性を満足しなく、１０００００以上の場合にはインク粘度が高くなってしまうためにインクジェット記録方式では吐出が困難になるからである。
【００１８】
蛍光染料に規定の分子量のポリエチレンイミンを規定量含有すると耐水性だけでなく、蛍光強度が改善される理由は明らかではないが、以下のように推察できる。
【００１９】
ポリエチレンイミンを含有すると染料との相互作用により、染料が会合しにくくなるため、個々の染料分子の特性が発現しやすくなり、蛍光性が向上するが、蛍光性染料に対して一定以上のポリエチレンイミンを含有した場合には、染料分子に対して過剰量のポリエチレンイミンと相互作用が蛍光性に悪影響を及ぼし、蛍光強度が悪化するからである。
【００２０】
次に、上記で説明した染料と共に本発明のインクを構成する水性液媒体について説明する。本発明で使用する水性液媒体としては、水を主成分とすることが好ましく、又、インク中の水の含有量はインク全重量に対して、１０〜９５重量％、好ましくは２５〜９３重量％、より好ましくは４０〜９０重量％の範囲とすることが望ましい。本発明で使用する水としては、イオン交換水が好ましく用いられる。
【００２１】
又、本発明のインクにおいては、水性液媒体として、水を単独で用いてもよいが、水に水溶性有機溶剤を併用させることによって、本発明の効果をより顕著にすることもできる。
【００２２】
本発明で使用できる水溶性有機溶剤としては、具体的には、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−ペンタノール等の炭素数１〜５のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン付加重合体；エチレングリコール、プロピレングリコール、トリメチレングリコール、ブチレングリコール、ペンタンジオール、へキシレングリコール等のアルキレン基が２〜６個の炭素原子を含むアルキレングリコール類；グリセリン、トリメチロールエタン、トリメチロールプロパン、１，２，６−ヘキサントリオール等のトリオール類；チオジグリコール；ビスヒドロキシエチルスルホン；エチレングリコールモノメチル（又はエチル、ブチル）エーテル、ジエチレングリコールモノメチル（又はエチル、ブチル）エーテル、トリエチレングリコールモノメチル（又はエチル、ブチル）エーテル等の低級アルキルグリコールエーテル類；トリエチレングリコールジメチル（又はエチル）エーテル、テトラエチレングリコールジメチル（又はエチル）エーテル等の低級ジアルキルグリコールエーテル類；モノエタノールアミン、ジエタノールアミン、トリエタノールアミン等のアルカノールアミン類；スルホラン、Ｎ−メチル−２−ピロリドン、２−ピロリドン及び１，３−ジメチル−２−イミダゾリジノン等が挙げられる。上記のごとき水溶性有機溶剤は、単独でも或いは混合物としても使用することができる。
【００２３】
これらの水溶性有機溶剤のインク中の含有量は、一般的には、インクの全重量に対して合計して５０重量％以下、好ましくは５〜４０重量％、より好ましくは１０〜３０重量％の範囲とすることが望ましい。
【００２４】
更に、上記に挙げた中でも、エチレングリコール、ジエチレングリコール、トリエチレングリコール、チオジグリコール、グリセリン、トリメチロールプロパン、１，２，６−ヘキサントリオール、エチルアルコール、イソプロピルアルコール及びビスヒドロキシエチルスルホン等の水溶性有機溶剤を使用することが特に好適である。
【００２５】
本発明のインク中には上記成分の他、必要に応じて、尿素、チオ尿素又は尿素誘導体や、インクに所望の性能を与えるための、ｐＨ調整剤、粘度調整剤、防腐剤、酸化防止剤、蒸発促進剤、防錆剤、防カビ剤及びキレート化剤等の添加剤を配合してもよい。
【００２６】
また、本発明のインクの粘度は、２５℃において０．７〜１２ｃＰの範囲内にあることが好ましい。インクの粘度が上記範囲外であると、インクジェット記録において正常な吐出をしないことがあったり、又、特に１２ｃＰを越えるインクはその粘度抵抗により被記録材への浸透が遅く、定着性の面からも好ましくない。
また、本発明に用いられるインクの表面張力は、２５℃において２０〜６０ｄｙｎｅ／ｃｍの範囲に調整されることが好ましい。表面張力が２０ｄｙｎｅ／ｃｍ未満では、インクジェット記録において液滴が吐出した後、メニスカスを引き戻そうとする力が弱いか、或は逆にメニスカスが突出した際に、引き戻す力が比較的弱い為、泡を抱き込んだり、オリフィス部が濡れてしまい、ヨレの原因となることがあり好ましくない。上記の様なインクとすることにより、本発明で提案されるインクは、普通紙対応型インクジェット記録に用いられるインクとして、特に、得られる画像の耐水性、インクの保存性に優れ、且つ記録濃度、乾燥定着性、印字品位及び、固着特性の性能に優れたインクの提供が可能になる。
【００２７】
以上のようにして構成される本発明の蛍光インクは、通常の文具用のインクとしても用いることができるが、インクジェット記録で用いられる際に、特に効果的である。インクジェット記録方法としては、インクに力学的エネルギーを作用させて液滴を吐出する記録方法、及びインクに熱エネルギーを加えてインクの発泡により液滴を吐出するインクジェット記録方法があり、それらのインクジェット記録方法に本発明の蛍光インクは特に好適である。
【００２８】
次に、上記した本発明の蛍光インクを用いて記録を行うのに好適な、本発明のインクジェット記録装置の一例を以下に説明する。先ず、熱エネルギーを利用したインクジェット記録装置の主要部であるヘッド構成の一例を、図１及び図２に示す。図１は、インク流路に沿ったヘッド１３の断面図であり、図２は、図１のＡ−Ｂ線での切断面図である。
【００２９】
ヘッド１３は、インクを通す流路（ノズル）１４を有するガラス、セラミック、シリコン又はプラスチック板等と、発熱素子基板１５とを接着して得られる。発熱素子基板１５は、酸化シリコン、窒化シリコン、炭化シリコン等で形成される保護層１６、アルミニウム、金、アルミニウム−銅合金等で形成される電極１７−１及び１７−２、ＨｆＢ２、ＴａＮ、ＴａＡｌ等の高融点材料から形成される発熱抵抗体層１８、熱酸化シリコン、酸化アルミニウム等で形成される蓄熱層１９、シリコン、アルミニウム、窒化アルミニウム等の放熱性のよい材料で形成される基板２０よりなっている。
【００３０】
上記ヘッド１３の電極１７−１及び１７−２にパルス状の電気信号が印加されると、発熱素子基板１５のｎで示される領域が急速に発熱し、この表面に接しているインク２１に気泡が発生し、その圧力でメニスカス２３が突出し、インク２１がヘッドのノズル１４を通して吐出し、吐出オリフィス２２よりインク小滴２４となり、被記録材２５に向かって飛翔する。図３には、図１に示したヘッドを多数並べたマルチヘッドの一例の外観図を示す。このマルチヘッドは、マルチノズル２６を有するガラス板２７と、図１に説明したものと同じような発熱ヘッド２８を接着して作られている。
【００３１】
図４に、このヘッドを組み込んだインクジェット記録装置の一例を示す。図４において、６１はワイピング部材としてのブレードであり、その一端はブレード保持部材によって保持固定されており、カンチレバーの形態をなす。ブレード６１は記録ヘッド６５による記録領域に隣接した位置に配置され、又、本例の場合、記録ヘッド６５の移動経路中に突出した形態で保持される。
【００３２】
６２は、記録ヘッド６５の突出口面のキャップであり、ブレード６１に隣接するホームポジションに配置され、記録ヘッド６５の移動方向と垂直な方向に移動して、インク吐出口面と当接し、キャッピングを行う構成を備える。更に、６３は、ブレード６１に隣接して設けられるインク吸収体であり、ブレード６１と同様、記録ヘッド６５の移動経路中に突出した形態で保持される。上記ブレード６１、キャップ６２及びインク吸収体６３によって吐出回復部６４が構成され、ブレード６１及びインク吸収体６３によって、吐出口面の水分や塵埃等の除去が行われる。
【００３３】
６５は、吐出エネルギー発生手段を有し、吐出口を配した吐出口面に対向する被記録材にインクを吐出して記録を行う記録ヘッド、６６は、記録ヘッド６５を搭載して記録ヘッド６５の移動を行うためのキャリッジである。キャリッジ６６は、ガイド軸６７と摺動可能に係合し、キャリッジ６６の一部は、モーター６８によって駆動されるベルト６９と接続（不図示）している。これによりキャリッジ６６は、ガイド軸６７に沿った移動が可能となり、記録ヘッド６５による記録領域及びその隣接した領域の移動が可能となる。
【００３４】
５１は、被記録材を挿入するための紙給部、５２は不図示のモーターにより駆動される紙送りローラーである。これらの構成により、記録ヘッド６５の吐出口面と対向する位置へ被記録材が給紙され、記録が進行するにつれて排紙ローラー５３を配した排紙部へ排紙される。以上の構成において、記録ヘッド６５が記録終了してホームポジションへ戻る際、吐出回復部６４のキャップ６２は記録ヘッド６５の移動経路から退避しているが、ブレード６１は移動経路中に突出している。その結果、記録ヘッド６５の吐出口がワイピングされる。
【００３５】
尚、キャップ６２が記録ヘッド６５の吐出面に当接してキャッピングを行う場合、キャップ６２は記録ヘッドの移動経路中に突出するように移動する。記録ヘッド６５がホームポジションから記録開始位置へ移動する場合、キャップ６２及びブレード６１は、上記したワイピングの時の位置と同一の位置にある。この結果、この移動においても記録ヘッド６５の吐出口面はワイピングされる。上述の記録ヘッドのホームポジションへの移動は、記録終了時や吐出回復時ばかりでなく、記録ヘッドが記録のために記録領域を移動する間に所定の間隔で記録領域に隣接したホームポジションへ移動し、この移動に伴って上記ワイピングが行われる。
【００３６】
図５は、記録ヘッドにインク供給部材、例えば、チューブを介して供給されるインクを収容したインクカートリッジの一例を示す図である。ここで４０は、供給用インクを収納したインク収容部、例えば、インク袋であり、その先端にはゴム製の栓４２が設けられている。この栓４２に針（不図示）を挿入することにより、インク袋４０中のインクをヘッドに供給可能にする。４４は、廃インクを受容するインク吸収体である。インク収容部としてはインクとの接液面がポリオレフィン、特にポリエチレンで形成されているものが好ましい。
【００３７】
本発明のインクジェット記録装置は、上述のようにヘッドとインクカートリッジとが別体となったものに限らず、図６に示すような、それらが一体になったものも好ましい形態である。図６において、７０は記録ユニットであり、この中にはインクを収容したインク収容部、例えば、インク吸収体が収納されており、かかるインク吸収体中のインクが、複数オリフィスを有するヘッド部７１からインク滴として吐出される構成になっている。インク吸収体の材料としては、ポリウレタンを用いることが好ましい。又、インク吸収体を用いず、インク収容部が内部にバネ等を仕込んだインク袋であるような構造でもよい。７２は、カートリッジ内部を大気に連通させるための大気連通口である。この記録ユニット７０は図４に示す記録ヘッド６５に換えて用いられるものであって、キャリッジ６６に対して着脱自在になっている。
【００３８】
次に、力学的エネルギーを利用したインクジェット記録装置の好ましい一例としては、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録ヘッドを挙げることができる。その記録装置の主要部である記録ヘッドの構成の一例を図７に示す。
【００３９】
ヘッドは、インク室（不図示）に連通したインク流路８０と、所望の体積のインク滴を吐出するためのオリフィスプレート８１と、インクに直接圧力を作用させる振動板８２と、この振動板８２に接合され、電気信号により変位する圧電素子８３と、オリフィスプレート８１、振動板８２等を指示固定するための基板８４とから構成されている。
【００４０】
図７において、インク流路８０は、感光性樹脂等で形成され、オリフィスプレート８１は、ステンレス、ニッケル等の金属に、電鋳やプレス加工による穴あけ等により吐出口８５が形成されており、振動板８２は、ステンレス、ニッケル、チタン等の金属フィルム及び高弾性樹脂フィルム等で形成され、圧電素子８３は、チタン酸バリウム、ＰＺＴ等の誘電体材料で形成される。以上のような構成の記録ヘッドは、圧電素子８３にパルス状の電圧を与え、歪み応力を発生させ、そのエネルギーが圧電素子８３に接合された振動板を変形させ、インク流路８０内のインクを垂直に加圧し、インク滴（不図示）をオリフィスプレート８１の吐出口８５より吐出して記録を行うように動作する。このような記録ヘッドは、図４に示したものと同様なインクジェット記録装置に組み込んで使用される。インクジェット記録装置の細部の動作は、先述と同様に行うもので差しつかえない。
【００４１】
【実施例】
次に、実施例及び比較例を挙げて、本発明を更に具体的に説明する。尚、以下の記載で％とあるものは、特に断りのない限り重量基準である。
【００４２】
夫々のインクについて下記の成分を混合及び溶解した後、更に、ポアサイズが０．２μｍのメンブレンフィルターにて加圧ろ過し、本発明の実施例及び実施例のインクを調製した。
【００４３】
（実施例１）
・アシッドレッド５２                              ０．２％
・ポリエチレンイミン（分子量１８０００）          ０．１％
・グリセリン                                      ７．０％
・尿素                                            ５．０％
・２−ピロリドン                                  ２．５％
・純水                                          ８５．２％
（実施例２）
・ダイレクトイエロー８７                          １．０％
・アシッドレッド９２                              ０．５％
・ポリエチレンイミン（分子量７００００）        ０．１５％
・ジエチレングリコール                            ７．５％
・チオジグリコール                              １０．０％
・純水                                        ８０．８５％
（実施例３）
・アシッドレッド５２                              ０．４％
・ダイレクトイエロー１３２                        ０．３％
・ポリエチレンイミン（分子量１０００）          ０．１２％
・グリセリン                                      ７．０％
・トリエチレングリコール                          ７．５％
・イソプロピルアルコール                          ５．０％
・純水                                        ７９．６８％
（比較例１）
・アシッドレッド５２                              ０．３％
・グリセリン                                      ７．０％
・尿素                                            ５．０％
・２−ピロリドン                                  ２．５％
・純水                                          ８５．２％
（比較例２）
・アシッドレッド５２                              ０．２％
・ポリエチレンイミン（分子量３００）              ０．１％
・グリセリン                                      ７．０％
・尿素                                            ５．０％
・２−ピロリドン                                  ２．５％
・純水                                          ８５．２％
（比較例３）
・ダイレクトイエロー８７                            １．０％
・アシッドレッド９２                                ０．５％
・ポリエチレンイミン（分子量１５００００）        ０．１５％
・ジエチレングリコール                              ７．５％
・チオジグリコール                                １０．０％
・純水                                          ８０．８５％
（比較例４）
・ダイレクトイエロー８７                              １．０％
・アシッドレッド９２                                  ０．５％
・ポリエチレンイミン（分子量７００００）          ０．０４５％
・ジエチレングリコール                                ７．５％
・チオジグリコール                                  １０．０％
・純水                                          ８０．９５５％
（比較例５）
・アシッドレッド５２                                  ０．４％
・ダイレクトイエロー１３２                            ０．３％
・ポリエチレンイミン（分子量１０００）                ０．４％
・グリセリン                                          ７．０％
・トリエチレングリコール                              ７．５％
・イソプロピルアルコール                              ５．０％
・純水                                              ７６．６％
［評価］
次に、上記の実施例１−３及び比較例１−５のインクを用いて、下記評価を行った。
【００４４】
（評価１：印字特性）
記録信号に応じた熱エネルギーをインクに付与することによりインクを吐出させるオンデマンド型マルチ記録ヘッドを有するインクジェット記録装置ＢＪＣ−４０００（キヤノン製）を用いて、普通紙（市販の酸性紙）に英数文字を印字し、その印字状態を目視にて観察し評価した。その結果を表１に示した。
【００４５】
◎：印字内容がはっきり判別できる。
【００４６】
○：多少印字されない部分があるが、内容は判別できる。
【００４７】
△：印字はするが、内容を判別しづらい。
【００４８】
×：全く印字されない。
【００４９】
（評価２：耐水性）
記録信号に応じた熱エネルギーをインクに付与することによりインクを吐出させるオンデマンド型マルチ記録ヘッドを有するインクジェット記録装置ＢＪＣ−４０００（キヤノン製）を用いて、普通紙（市販の酸性紙）に英数文字を印字し、印字物を１時間以上放置後、文字部に水を滴下し、乾燥した後の印字状態を目視にて観察し評価した。その結果を表１に示した。
【００５０】
◎：印字内容がはっきり判別できる。
【００５１】
○：印字物が多少薄いが、判別するのに問題のないレベルである。
【００５２】
△：印字物は残るが、内容を判別しずらい。
【００５３】
×：印字物は全く残らず、内容を判別できない。
【００５４】
（評価２：蛍光強度）
記録信号に応じた熱エネルギーをインクに付与することによりインクを吐出させるオンデマンド型マルチ記録ヘッドを有するインクジェット記録装置ＢＪＣ−４０００（キヤノン製）を用いて、普通紙（市販の酸性紙）に５０％の格子縞パターンを印字し、日本分光（株）社製の蛍光光度計（ＦＰ−７５０）を用いて下記の条件のもと蛍光強度を測定した。その結果を下記の基準に従って評価し、表３に示した。その際、励起波長を２６３ｎｍとし、最大蛍光波長での蛍光強度を測定し、得られた測定蛍光強度値を、比較例１のインクの蛍光強度値を１００として標準化し、下記の基準で評価した。
【００５５】
◎：測定蛍光強度値が１２０以上である。
【００５６】
○：測定蛍光強度値が１００〜１１９である。
【００５７】
△：測定蛍光強度値が７０〜９９である。
【００５８】
×：測定蛍光強度値が６９以下である。
【００５９】
【表１】
2004155939.tif 000003
【００６０】
【発明の効果】
以上説明したように、本発明によれば、耐水性が良好で蛍光性を有する蛍光インクが得られる。又、本発明によれば、このインクを搭載したインクユニット、インクカートリッジの提供及び、これを用いたインクジェット記録方法及びインクジェット記録装置により、印字物の耐水性に優れる蛍光画像が提供される。
【図面の簡単な説明】
【図１】インクジェット記録装置のヘッドの一例を示す縦断面図である。
【図２】インクジェット記録装置のヘッドの一例を示す横断面図である。
【図３】図１に示したヘッドをマルチ化したヘッドの外観斜視図である。
【図４】インクジェット記録装置の一例を示す概略斜視図である。
【図５】インクカートリッジの一例を示す縦断面図である。
【図６】記録ユニットの一例を示す斜視図である。
【図７】インクジェット記録ヘッドの別の構成例を示す概略断面図である。
【符号の説明】
１３  ヘッド
１４  インク溝
１５  発熱ヘッド
１６  保護膜
１７−１、１７−２  電極
１８  発熱抵抗体層
１９  蓄熱層
２０  基板
２１  インク
２２  吐出オリフィス（微細孔）
２３  メニスカス
２４  インク小滴
２５  被記録材
２６  マルチ溝
２７  ガラス板
２８  発熱ヘッド
４０  インク袋
４２  栓
４４  インク吸収体
４５  インクカートリッジ
５１  給紙部
５２  紙送りローラー
５３  排紙ローラー
６１  ブレード
６２  キャップ
６３  インク吸収体
６４  吐出回復部
６５  記録ヘッド
６６  キャリッジ
６７  ガイド軸
６８  モーター
６９  ベルト
７０  記録ユニット
７１  ヘッド部
７２  大気連通口
８０  インク流路
８１  オリフィスプレート
８２  振動板
８３  圧電素子
８４  基板
８５  吐出口
【図１】
2004155939.tif 000004
【図２】
2004155939.tif 000005
【図３】
2004155939.tif 000006
【図４】
2004155939.tif 000007
【図５】
2004155939.tif 000008
【図６】
2004155939.tif 000009
【図７】
2004155939.tif 000010